(57)【特許請求の範囲】
【請求項１】
筒状のレンズセルの径より小さい幅の保持窓を有するレンズブラケットと、保持窓に嵌合保持されたレンズセルを押さえてレンズブラケットに固定するためのレンズ押さえ部材とを備えたレンズセル固定構造において、レンズセルの外周面を受ける保持窓の稜線部に突起部を形成したことを特徴とするレンズセル固定構造。
【請求項２】
筒状のレンズセルの径より小さい幅の保持窓を有するレンズブラケットと、保持窓に嵌合保持されたレンズセルを押さえてレンズブラケットに固定するためのレンズ押さえ部材とを備えたレンズセル固定構造において、レンズセルの軸方向両端面を、保持窓の位置合わせ端面とレンズ押さえ部材とで挟み込むようにしたことを特徴とするレンズセル固定構造。
【発明の詳細な説明】
【０００１】
【発明の属する技術分野】
本発明は、複写機、ファクシミリ、プリンタ等の原稿読取装置に用いられるレンズセルの固定構造に関するものである。
【０００２】
【従来の技術】
図１０は反射ミラーを用いた原稿読取装置の構成図である。
この原稿読取装置は、原稿ガラス１に載置された原稿をランプ２で照明し、その反射光を第１ミラー３、第２ミラー４、第３ミラー５で折り返して導き、レンズセル６により結像面７に結像して画情報を得るようになっている。
図１１は従来例を示すレンズセル固定構造の分解斜視図である。図１２は従来例を示すレンズセル固定構造の上面図である。
【０００３】
図１０に示すレンズセル６はレンズブラケット１１に固定保持されるようになっている。板状のレンズブラケット１１は中央にレンズセル６の径より小さい幅の保持窓１２を有しており、その保持窓１２の位置合わせ端面１２ａにレンズセル６の一端を合わせるようにして、レンズセル６を保持窓１２に嵌合する（レンズセル６の径の方が保持窓１２の幅より大きいので、レンズセル６は保持窓１２から脱落することはない）。
そして、レンズセル６の径と略同じ径の半円弧状のレンズ押さえ部材１３で上方からレンズセル６を押さえ、レンズ押さえ部材１３をねじ１４でレンズブラケット１１に固定する。このようにしてレンズセル６をレンズブラケット１１に固定することができる。
【０００４】
【発明が解決しようとする課題】
ところで装置の輸送などの際、図１２に示すように、衝撃力１５がレンズブラケット１１に加わると、レンズセル６はその質量により反力１６を発生し、その反力１６がレンズ押さえ部材１３の押さえ力に対応した摩擦力を超えることにより、レンズセル６が元の位置からずれることがある。
ところで、画像読取装置におけるレンズ（レンズセル）のずれの許容レベルは非常に小さく、縮小結像の光学系においては通常１０μｍずれてもピントに大きく影響を及ぼすので、僅かなずれも深刻であり、確実にずれを防止する必要がある。
【０００５】
レンズセルのずれを防止するためには、レンズ押さえ部材の押さえ力を強くすればよいのであるが、押さえ力を強くしていくと、圧力によりレンズセルの変形やレンズセルを受けるレンズブラケットの変形が起こり、結像性能に支障を来すので、ある程度以上は強くできない。しかし、変形を起こさない程度の押さえ力ではずれに対して余裕はないのが現状であり、接着剤などを併用することもある。
【０００６】
本発明はこのような背景に鑑みてなされたものであり、接着剤などの補助手段を使わずに、レンズセルのずれを防止し、かつ、レンズセルやレンズブラケットの変形を無くすことができるレンズセル固定構造を提供することを目的とするものである。
【０００７】
【課題を解決するための手段】
上記目的を達成するために、請求項１記載の発明は、筒状のレンズセルの径より小さい幅の保持窓を有するレンズブラケットと、保持窓に嵌合保持されたレンズセルを押さえてレンズブラケットに固定するためのレンズ押さえ部材とを備えたレンズセル固定構造において、
レンズセルの外周面を受ける保持窓の稜線部に突起部を形成したことを特徴とするものである。
【０００８】
また上記目的を達成するために、請求項２記載の発明は、筒状のレンズセルの径より小さい幅の保持窓を有するレンズブラケットと、保持窓に嵌合保持されたレンズセルを押さえてレンズブラケットに固定するためのレンズ押さえ部材とを備えたレンズセル固定構造において、
レンズセルの軸方向両端面を、保持窓の位置合わせ端面とレンズ押さえ部材とで挟み込むようにしたことを特徴とするものである。
【００１０】
【発明の実施の形態】
以下、本発明の実施の形態を添付図面を参照しながら説明する。
図１は第１の実施の形態を示すレンズセル固定構造の分解斜視図、図２は第１の実施の形態を示すレンズセル固定構造の上面図である。
図１１、図１２に示す従来例と同一個所には同一番号を付すものとする。レンズブラケット１１にはレンズセル６を嵌合保持するための保持窓１２が設けてあり、その位置合わせ端面１２ａにレンズセル６を突き当てて、レンズセル６を保持窓１２で保持し、レンズ押さえ部材１３で固定するのは従来通りである。
本実施形態では、保持窓１２のレンズセル６を受ける稜線（幅方向の対向する端縁）１２ｂに、それぞれ２つの欠き部１２ｃ，１２ｅと、２つの欠き部１２ｃ，１２ｅの間の突起部１２ｄを形成している。
【００１１】
通常、レンズセル６はアルミニウムやプラスティックの軟材料であるので、レンズセル６を受ける稜線１２ｂより内側（保持窓１２の中央に向かう側）に突起部１２ｄの先端を出すことにより、突起部１２ｄがレンズセル６にくい込んで、レンズ押さえ部材１３とねじ１４の押さえ力による摩擦力以上にずれに対抗する力を持つことができる。
【００１２】
図３は第２の実施の形態を示すレンズセル固定構造の分解斜視図である。
この実施形態は、図１、図２に示す第１の実施形態の変形例を示すものであり、軸方向両端に拡径部６ａを有する型式のレンズセル６を対象としている。即ち、両拡径部６ａに対応して各稜線１２ｂに２つずつ計４つの突起部１１ｄを設けたものである。本実施形態においても上述と同じ作用効果が得られる。
【００１３】
図４は第３の実施の形態を示すレンズセル固定構造の分解斜視図、図５は第３の実施の形態を示すレンズセル固定構造の上面図である。
この実施形態では、ストレートな筒状のレンズセル６の前側を位置合わせ面１２ａに合わせておき、レンズ押さえ部材１３の後側に形成した一対のセル位置規制部１３ａでレンズセル６の後側端面を押さえるようにする。即ち、レンズセル６を、保持窓１２の位置合わせ端面１２ａと、レンズ押さえ部材１３のセル位置規制部１３ａとの間に挟み込むようにして、レンズ押さえ部材１３でレンズブラケット１１に固定する。
【００１４】
このようにレンズセル６の前側と後側（軸方向両側）を規制することで、衝撃によるレンズセル６の軸方向のずれを防止することができる。なお、レンズ押さえ部材１３のねじ止め部は、レンズセル長さ方向に自由度のある穴となっている。
【００１５】
図６は第４の実施の形態を示すレンズセル固定構造の分解斜視図、図７は第４の実施の形態を示すレンズセル固定構造の上面図である。
この実施形態は、図４、図５に示す第３の実施形態の変形例であり、レンズセル６は前側端に拡径部（鍔部）６ａを有し、レンズ押さえ部材１３の曲率は拡径部６ａ以外のレンズセル６の胴部と略同じになっている。
従って、拡径部６ａを保持窓１２の位置合わせ端面１２ａとレンズ押さえ部材１３で挟み込むようにして、レンズ押さえ部材１３によりレンズセル６をレンズブラケット１１に固定すれば、レンズセル６の軸方向のずれを防止することができる。
【００１６】
図８は、参考として挙げる構成が類似した実施形態を示すレンズセル固定構造の分解斜視図、図９はこの第５の（参考）実施の形態のレンズセル固定構造の上面図である。本参考実施形態では、レンズセル６の前側端と後側端（軸方向両端）に雄ねじ状の凹凸部６ｂを設ける。このようにすると、保持窓１２の稜線１２ｂに凹凸部６ｂの頂点部がくい込むので、レンズセル６の軸方向のずれを防止できる。凹凸部６ｂは旋盤加工の仕上げを故意に粗くし、その挽き目を利用してもよい。また雄ねじ状でなくても蛇腹状でもよい。
【００１７】
【発明の効果】
請求項１記載の発明によれば、レンズセルの外周面を受ける保持窓の稜線部に突起部を形成することで突起部がレンズセルにくい込んで、レンズ押さえ部材の押さえ力による摩擦力以上に、レンズセルのずれに対抗する力を持つことができるので、接着剤などの補助手段を使わずに、レンズセルのずれを防止し、かつ、レンズセルやレンズブラケットの変形を無くすことができるレンズセル固定構造を提供することができる。
【００１８】
請求項２記載の発明によれば、レンズセルの軸方向両端面を、保持窓の位置合わせ端面とレンズ押さえ部材とで挟み込むようにしたので、各部品を寄せ組するだけで、鋭利な突起を必要とせずにレンズセルのずれを防止することができる。
【図面の簡単な説明】
【図１】第１の実施の形態を示すレンズセル固定構造の分解斜視図である。
【図２】第１の実施の形態を示すレンズセル固定構造の上面図である。
【図３】第２の実施の形態を示すレンズセル固定構造の分解斜視図である。
【図４】第３の実施の形態を示すレンズセル固定構造の分解斜視図である。
【図５】第３の実施の形態を示すレンズセル固定構造の上面図である。
【図６】第４の実施の形態を示すレンズセル固定構造の分解斜視図である。
【図７】第４の実施の形態を示すレンズセル固定構造の上面図である。
【図８】第５の実施の形態を示すレンズセル固定構造の分解斜視図である。
【図９】第５の実施の形態を示すレンズセル固定構造の上面図である。
【図１０】反射ミラーを用いた原稿読取装置の構成図である。
【図１１】従来例を示すレンズセル固定構造の分解斜視図である。
【図１２】従来例を示すレンズセル固定構造の上面図である。
【符号の説明】
６  レンズセル
１１  レンズブラケット
１２  保持窓
１２ａ  位置合わせ端面
１２ｂ  稜線
１２ｃ，１２ｅ  欠き部
１２ｄ  突起部
１３  レンズ押さえ部材
１４  ねじ
【図１】
0003710305.tif 000002
【図２】
0003710305.tif 000003
【図３】
0003710305.tif 000004
【図４】
0003710305.tif 000005
【図５】
0003710305.tif 000006
【図６】
0003710305.tif 000007
【図７】
0003710305.tif 000008
【図８】
0003710305.tif 000009
【図９】
0003710305.tif 000010
【図１０】
0003710305.tif 000011
【図１１】
0003710305.tif 000012
【図１２】
0003710305.tif 000013